(57)【要約】【課題】多重モード無線装置用のトランスペアレント放送サービスのための装置と方法。【解決手段】複数の無線通信ネットワークと通信することが可能な多重モード無線装置用の“トランスペアレント”放送サービスを提供するため、複数のネットワークによって使用された放送メッセージ用の適切なパラメータの合成セットが定義される。各ネットワーク用の放送メッセージのパラメータは合成セット内の対応するパラメータにマップされる。パラメータの合成セットは複数のネットワークから受信された放送メッセージを処理して表示するために使用される。各ネットワーク用の放送メッセージは受信され、メッセージのパラメータ及びネットワークのために適用可能なフィルタリング構成に従って処理される。放送メッセージのパラメータは合成セット内の対応するパラメータにマップされる。放送メッセージはさらに合成セット内のパラメータに基づいて処理され表示される。【選択図】      図６
2010022011.tif 000002
【特許請求の範囲】
【請求項１】
無線装置であって、
第１の放送メッセージのパラメータに従って第１の無線通信システムに関する該第１の放送メッセージを処理するように動作可能な第１のモジュールと、
第２の放送メッセージのパラメータに従って第２の無線通信システムに関する該第２の放送メッセージを処理するように動作可能な第２のモジュールと、そして
放送サービスについて定義されたパラメータのセット内の対応するパラメータに該第１および第２の放送メッセージの該パラメータをマップするように動作可能な第３のモジュールと
を含む無線装置。
【請求項２】
該第１の放送メッセージは移動通信用グローバルシステム（ＧＳＭ）およびユニバーサル移動通信システム（ＵＭＴＳ）の複数システムのためのセル放送サービス（ＣＢＳ）メッセージであり、そして該第２の放送メッセージは符号分割多重アクセス（ＣＤＭＡ）システム用に使用される放送ショートメッセージサービス（ＳＭＳ）メッセージである、請求項１記載の無線装置。
【請求項３】
さらに、第３の放送メッセージのパラメータに従って第３の無線通信システムに関する該第３の放送メッセージを処理するように動作可能な第４のモジュールを含み、該第３のモジュールはさらに放送サービスのために定義された該セットのパラメータ内の対応するパラメータに該第３の放送メッセージの該パラメータをマップするように動作可能な
請求項１記載の無線装置。
【請求項４】
さらに、該セット内の該パラメータに基づいて該第１および第２の放送メッセージを表示するように動作可能な第４のモジュールを含む
請求項１記載の無線装置。
【請求項５】
該第４のモジュールはさらに該第１および第２の放送メッセージの該パラメータの代わりにユーザレビューおよび選択用の該セット内のパラメータを供給するように動作可能である請求項４記載の無線装置。
【請求項６】
該セット内の該パラメータの各々は該第１の放送メッセージについてマップされたパラメータ、該第２の放送メッセージについてマップされたパラメータ、または該第１および第２の放送メッセージの両者についてマップされたパラメータと関連する請求項１記載の無線装置。
【請求項７】
該第１および第２の放送メッセージの両者についてマップされたパラメータと関連する該セット内の各パラメータは該第１および第２の放送メッセージについてマップされたパラメータとして可能性のあるすべての値を取ることができる請求項６記載の無線装置。
【請求項８】
該第１の放送メッセージについてマップされたパラメータと関連する該セット内の各パラメータは該第１の放送メッセージのマップされたパラメータとして可能性のあるすべての値および該第２の放送メッセージのためのデフォルト値を取ることができる請求項６記載の無線装置。
【請求項９】
放送サービスを表示するサービス識別パラメータを含むセットが該第１および第２のシステムによって提供される請求項１記載の無線装置。
【請求項１０】
該セットは該第１および該第２のネットワークから受信された放送メッセージとして使用された文字セットを表示する符号化パラメータおよび該放送メッセージとして使用された言語を表示する言語パラメータを含む請求項１記載の無線装置。
【請求項１１】
該セットは該第１および該第２のネットワークから受信された放送メッセに関する表示オプションを表示する表示モードパラメータおよび旧放送メッセージを新放送メッセージで置換するために使用されたメッセージ置換パラメータを含む請求項１記載の無線装置。
【請求項１２】
該第１のモジュールはさらに第１のフィルタリング構成に基づいて該第１のシステムに関する放送メッセージをフィルタするように動作可能であり、そして該第２のモジュールはさらに第２のフィルタリング構成に基づいて該第２のシステムに関する放送メッセージをフィルタするように動作可能である請求項１記載の無線装置。
【請求項１３】
該第３のモジュールは該第１および第２のシステムに関する該第１および第２のフィルタリング構成を維持するように動作可能であり、そして該第１のモジュールに該第１のフィルタリング構成をおよび該第２のモジュールに該第２のフィルタリング構成を提供するように動作可能である請求項１２記載の無線装置。
【請求項１４】
複数の無線通信システムから放送サービスを受信する方法であって、
第１の放送メッセージのパラメータに従って第１の無線通信システムに関する該第１の放送メッセージを処理し、
第２の放送メッセージのパラメータに従って第２の無線通信システムに関する該第２の放送メッセージを処理し、そして
放送サービスについて定義されたパラメータのセット内の対応するパラメータに該第１および第２の放送メッセージの該パラメータをマップする
ことを含む方法。
【請求項１５】
該第１の放送メッセージは移動通信用グローバルシステム（ＧＳＭ）およびユニバーサル移動通信システム（ＵＭＴＳ）のためのセル放送サービス（ＣＢＳ）メッセージであり、そして該第２の放送メッセージは符号分割多重アクセス（ＣＤＭＡ）システムに関する放送ショートメッセージサービス（ＳＭＳ）メッセージである請求項１４記載の方法。
【請求項１６】
さらに、該セット内の該パラメータに基づいて該第１および第２の放送メッセージを表示することを含む請求項１４記載の方法。
【請求項１７】
さらに、第１のフィルタリング構成に基づいて該第１のシステムに関する放送メッセージをフィルタし、そして
第２のフィルタリング構成に基づいて該第２のシステムに関する放送メッセージをフィルタする
ことを含む請求項１４記載の方法。
【請求項１８】
さらに、該第１および第２の放送メッセージの該パラメータの代わりにユーザレビューおよび選択のため該セット内のパラメータを供給することを含む請求項１４記載の方法。
【請求項１９】
装置であって、
第１の放送メッセージのパラメータに従って第１の無線通信システムに関する該第１の放送メッセージを処理するための手段と、
第２の放送メッセージのパラメータに従って第２の無線通信システムに関する該第２の放送メッセージを処理するための手段と、そして
放送サービスについて定義されたパラメータのセット内の対応するパラメータに該第１および第２の放送メッセージの該パラメータをマップするための手段と
を含む装置。
【請求項２０】
さらに、該セット内の該パラメータに基づいて該第１および第２の放送メッセージを表示するための手段を含む請求項１９記載の装置。
【請求項２１】
さらに、第１のフィルタリング構成に基づいて該第１のシステムに関する放送メッセージをフィルタするための手段と、そして
第２のフィルタリング構成に基づいて該第２のシステムに関する放送メッセージをフィルタするための手段と
を含む請求項１９記載の装置。
【請求項２２】
無線装置において命令を蓄積するためのプロセッサ可読媒体であって、
第１の放送メッセージのパラメータに従って第１の無線通信システムに関する該第１の放送メッセージを処理するためのモジュールと、
第２の放送メッセージのパラメータに従って第２の無線通信システムに関する該第２の放送メッセージを処理するためのモジュールと、そして
放送サービスについて定義されたパラメータのセットの内の対応するパラメータに該第１および第２の放送メッセージの該パラメータをマップするためのモジュールと
を含むプロセッサ可読媒体。
【請求項２３】
無線通信システムにおいて放送サービスを受信する方法であって、
該システムによってサポートされた少なくとも１つの放送サービスの第１のセットを定義し、
該第１のセットを該第１のセット内の該少なくとも１つの放送サービスに関する放送メッセージが何時受信されるべきかを表示する第１の活動中の時間帯に結びつけ、そして
該第１の活動中の時間帯の間に該第１のセット内の該少なくとも１つの放送サービスに関する放送メッセージを受信する
ことを含む方法。
【請求項２４】
該第１のセット内の該少なくとも１つの放送サービスの各々は該システム内の放送メッセージに関する種々のサービスカテゴリーに対応する請求項２３記載の方法。
【請求項２５】
該第１のセット内の該少なくとも１つの放送サービスの各々は該システム内の放送メッセージに関するサービスカテゴリーおよび言語の種々の組合わせに対応する請求項２３記載の方法。
【請求項２６】
さらに、該システムによってサポートされた少なくとも１つの放送サービスの第２のセットを定義し、
該第２のセットを該第２のセット内の該少なくとも１つの放送サービスに関する放送メッセージが何時受信されるべきかを表示する第２の活動中の時間帯に結びつけ、そして
該第２の活動中の時間帯の間に該第２のセット内の該少なくとも１つの放送サービスに関する放送メッセージを受信する
ことを含む請求項２３記載の方法。
【請求項２７】
無線通信システム内の無線装置であって、
該システムによってサポートされた少なくとも１つの放送サービスのセットおよび該セット内の該少なくとも１つの放送サービスに関する放送メッセージが何時受信されるべきかを表示する活動中の時間帯を蓄積するように動作するコントローラと、そして
該活動中の時間帯の間に該セット内の該少なくとも１つの放送サービスに関する放送メッセージを処理するように動作する処理ユニットと
を含む無線装置。
【請求項２８】
さらに、該活動中の時間帯の開始および終了の表示を提供するように動作するタイマを含む請求項２７記載の無線装置。
【発明の詳細な説明】
【技術分野】
【０００１】
[背景]
I．分野
本発明は一般に通信に関し、そしてより詳しくは複数の無線通信ネットワークと通信できる多重モード無線装置用のトランスペアレント放送サービス(transparent broadcast service) を提供するための技術に関する。
【背景技術】
【０００２】
II．背景
無線通信ネットワークは音声、パケットデータ、放送、等のようないろいろなタイプのサービスを提供するために広く展開される。これらの無線ネットワークは符号分割多重アクセス（ＣＤＭＡ）ネットワーク、移動通信用グローバルシステム（ＧＳＭ）ネットワーク、ユニバーサル移動通信システム（ＵＭＴＳ）ネットワーク、等を含む。これら２つの術語は互換的にも使用されるが、ネットワークは典型的にシステムの展開を指す。
【０００３】
各無線ネットワークは無線による通信（over-the- air communication）をサポートするために特定のエアインターフェイスを使用し、そして典型的に相互運用接続（roaming）および進歩したサービスをサポートする特定の移動体ネットワーク通信(mobile  networking)プロトコルをさらに実施する。例えば、ＣＤＭＡネットワークはＣＤＭＡエアインターフェイスとＡＮＳＩ−４１ネットワーク通信プロトコルとを使用する。ＣＤＭＡネットワークは、ＩＳ−２０００（１ｘＥＶ）、ＩＳ−８５６（１ｘ−ＥＶＤＯ）、ＩＳ−９５、等のような１つまたはそれ以上のＣＤＭＡ標準を使用することができる。ＧＳＭネットワークはＧＳＭエアインターフェイスとＧＳＭモバイルアプリケーションパート（ＧＳＭ−ＭＡＰ）ネットワーク通信プロトコルとを使用する。ＧＳＭネットワークはＧＳＭ標準を実施し、そして無線装置がインターネットプロトコル（ＩＰ）ベースのネットワークを介してデータを送受信することを可能にするデータベアラ（data bearer）である、汎用パケット無線サービス（ＧＰＲＳ）をさらにサポートすることができる。ＧＳＭ／ＧＰＲＳ装置は、ＧＰＲＳモードで動作している時には、インターネットのような、データネットワークをアクセスすることができる。ＵＭＴＳネットワークは広帯域ＣＤＭＡ（Ｗ−ＣＤＭＡ）エアインターフェイスとＧＳＭ−ＭＡＰネットワーク通信プロトコルとを使用する。ＵＭＴＳネットワークは、ＧＳＭ標準を組み込む、３ＧＰＰ標準を実施する。これらのいろいろな標準はこの分野において既知である。
【０００４】
ＧＳＭおよびＵＭＴＳネットワークはセル放送サービス（ＣＢＳ）を提供でき、それはネットワーク内のユーザにメッセージを周期的に放送するサービスである。同様に、ＣＤＭＡネットワークはネットワーク内のユーザにメッセージを放送する放送サービスを提供できる。放送メッセージは、ニュース、トラフィックレポート、気象情報、等のような、いろいろなタイプの情報を搬送することができる。
【０００５】
ＧＳＭ、ＵＭＴＳおよびＣＤＭＡネットワークにおける放送サービスはショートメッセージサービス（ＳＭＳ；Short Message Service）で実施され、それはＳＭＳまたは無線ネットワークと無線装置（例えば、セルラ電話機）との間のショートメッセージの交換をサポートするサービスである。ＳＭＳはネットワーク技術依存であり、そして種々のＳＭＳ実施形態はＡＮＳＩ−４１およびＧＳＭ−ＭＡＰについて定義された。各ＳＭＳ実施形態は種々の能力を有し、そしてＳＭＳメッセージ送出用の種々のメッセージタイプとフォーマットとを使用する。ＡＮＳＩ−４１ネットワーク用のＳＭＳ実施形態は文書ＴＩＡ／ＥＩＡ−６３７−Ｂ、タイトル“広帯域スペクトル拡散システムのためのショートメッセージサービス（Ｓｈｏｒｔ  Ｍｅｓｓａｇｅ  Ｓｅｒｖｉｃｅ  ｆｏｒ  Ｗｉｄｅｂａｎｄ  Ｓｐｒｅａｄ  Ｓｐｅｃｔｒｕｍ  Ｓｙｓｔｅｍｓ）”内に記述される。ＧＳＭ−ＭＡＰネットワーク用のＳＭＳ実施形態は文書３ＧＰＰ  ＴＳ２３．０３８、ＴＳ２３．０４０、および３ＧＰＰ文書内に記述される。これらの文書は公的に利用可能である。簡単のため、ＧＳＭ−ＭＡＰ用のＳＭＳ実施形態は“ＧＳＭ  ＳＭＳ”と呼ばれ、そしてＡＮＳＩ−４１用のＳＭＳ実施形態は“ＣＤＭＡ  ＳＭＳ”と呼ばれる。ＵＭＴＳは放送マルチキャスト制御（ＢＭＣ）をサポートし、それはＧＳＭおよびＣＤＭＡ  ＳＭＳメッセージを搬送することができる。
【０００６】
多重モード無線装置は複数の無線ネットワーク（例えば、ＧＳＭおよびＣＤＭＡネットワーク）と通信することができ、そしてこれらのネットワークから放送メッセージを受信することができてもよい。しかしながら、ＧＳＭおよびＣＤＭＡネットワーク用の放送メッセージは、ＣＤＭＡ  ＳＭＳとＧＳＭ  ＳＭＳとは異なる実施形態を有するので、異なるフォーマットを有する。ユーザはいずれのフィールドが各放送メッセージフォーマットに適用可能であるかと、いかにフィールドが解釈されて処理されねばならないかとを知る必要がある可能性があるので、異なる放送メッセージフォーマットは複数の無線ネットワークからの放送サービスの受信を複雑にする。
【０００７】
したがって多重モード無線装置のための放送サービスをサポートするために必要なものがこの技術分野内にある。
【発明の概要】
【０００８】
[概要]
複数の無線ネットワークと通信できる多重モード無線装置内の“トランスペアレント(transparent )”放送サービスを提供するための技術がこの中に記述される。無線装置は、ユーザがいずれの放送サービスがいずれの無線ネットワークから受信されているかに気づいている必要がないように、種々のネットワークによる放送サービスのための実施形態の細部を隠すインターフェイスを提供する。これは複数のネットワークからの放送サービスの受信を簡単にし、そしてユーザの経験を増す。トランスペアレント放送サービスをサポートするために、複数ネットワークによって使用された放送メッセージに関する適切なパラメータの合成セット(composite  set)（またはスーパーセット(superset)）が定義される。各ネットワークに関する放送メッセージのパラメータは合成セット内の対応するパラメータにマップ(map)される。合成セットのパラメータは複数のネットワークから受信された放送メッセージを処理して表示するために使用される。
【０００９】
無線装置でトランスペアレント放送サービスを提供するための１実施形態では、無線装置で放送メッセージをフィルタするために使用されたフィルタリング構成（filtering configuration）は、下記されるように、ネットワークオペレータ／サービスプロバイダおよび／またはユーザによって初めに設定される。第１のネットワーク（例えば、ＧＳＭまたはＵＭＴＳネットワーク）に関する放送受信のために、第１のネットワークに関する第１の放送メッセージ（例えば、ＣＢＳメッセージ）が受信され、そしてこのメッセージのパラメータおよび第１のネットワークに関するフィルタリング構成に従って処理される。第１の放送メッセージのパラメータは合成セット（composite set）内の対応するパラメータにマップされる。第１の放送メッセージはさらに処理され、そして合成セット内のパラメータに基づいて表示される。第２のネットワーク（例えば、ＣＤＭＡネットワーク）に関する放送受信のために、第２のネットワークに関する第２の放送メッセージ（例えば、放送ＳＭＳメッセージ）が受信され、そしてこのメッセージのパラメータおよび第２のネットワークに関するフィルタリング構成に従って処理される。第２の放送メッセージのパラメータは合成セット内の対応するパラメータにマップされる。第２の放送メッセージはさらに処理され、そして合成セット内のパラメータに基づいて表示される。無線装置は一度に唯一のネットワークに関する、または同時に両ネットワークに関する放送メッセージを受信して処理することができてもよい。
【図面の簡単な説明】
【００１０】
【図１】ＧＳＭまたはＵＭＴＳネットワークおよびＣＤＭＡネットワークを示す図。
【図２Ａ】ＧＳＭ  ＣＢＳメッセージを示す図。
【図２Ｂ】ＵＭＴＳ  ＣＢＳメッセージを示す図。
【図３】ＣＤＭＡにおける放送サービスをサポートするためのいろいろなメッセージを示す図。
【図４】放送メッセージをフィルタするために使用されたサービス表を示す図。
【図５】多重モード無線装置を示すブロック図。
【図６】複数の無線ネットワークからの放送サービスを受信することができるコントローラを示す図。
【図７】トランスペアレント放送サービス受信に関する処理フローを示すフロー図。
【図８】時間ベースの放送受信に関する処理フローを示すフロー図。
【発明を実施するための形態】
【００１１】
[詳細な説明]
本発明の特徴および本質はここでおよび全体を通して同一と認められる参照符号を有する図面とともに下に述べる詳細説明からさらに明白になるであろう。
【００１２】
図１はＧＳＭまたはＵＭＴＳネットワーク１１０およびＣＤＭＡネットワーク１２０（即ち、ネットワーク１１０はＧＳＭネットワークまたはＵＭＴＳネットワークであってもよい）を含む通信ネットワーク１００を示す。ＧＳＭまたはＵＭＴＳネットワーク１１０はＧＳＭセル放送センタ（ＣＢＣ）１１２、ネットワークコントローラ１１４、および基地局１１６を含む。ＣＤＭＡネットワーク１２０はＡＮＳＩ−４１メッセージセンタ１２２、ネットワークコントローラ１２４、および基地局１２６を含む。ネットワーク１１０および１２０はそれぞれ、ＧＳＭ−ＭＡＰおよびＡＮＳＩ−４１ネットワーク通信プロトコルを実施する。
【００１３】
セル放送センタ１１２およびメッセージセンタ１２２はいろいろなソースからの放送データを受信して蓄積し、そしてさらにネットワーク１１０および１２０に関する放送メッセージをそれぞれ発生して順方向転送する。セル放送センタ１１２はネットワークコントローラ１１４と（多分他のネットワークエンティティを介して）通信し、そしてＧＳＭまたはＵＭＴＳネットワーク１１０のための放送サービスをサポートする。メッセージセンタ１２２はネットワークコントローラ１２４と（多分他のネットワークエンティティを介して）通信し、そしてＣＤＭＡネットワーク１２０のための放送サービスをサポートする。ネットワークコントローラ１１４および１２４はそれらのカバレッジエリア内の無線装置のためのメッセージおよびデータを送る。ネットワークコントローラはＧＳＭでは基地局コントローラ（ＢＳＣ）、ＵＭＴＳでは無線ネットワークコントローラ（ＲＮＣ）、そしてＣＤＭＡでは移動交換センタ（ＭＳＣ）と呼ばれる。各ネットワークコントローラは多数の基地局に連結され、そしてこれらの基地局のカバレッジ下の無線装置のための通信を制御する。ネットワーク１１０および１２０の各々はまた複数のセル放送／メッセージセンタおよび／またはネットワークコントローラを含む。
【００１４】
基地局１１６および１２６は無線装置と通信する固定局である。各基地局は、音声、パケットデータ、放送、等のようないろいろなサービスをサポートするためにそのカバレッジエリア下の無線装置と通信する。簡単のため、唯一の多重モード無線装置１５０が図１に示される。無線装置１５０（例えば、二重モードセルラホン）はＧＳＭまたはＵＭＴＳネットワーク１１０およびＣＤＭＡネットワーク１２０と通信することができる。この能力は加入者／ユーザが改善された性能およびカバレッジとしての複数のネットワークからサービスを受けることを可能にする。無線装置１５０は固定または移動であってもよく、そしてまたユーザ装置（ＵＥ）、移動局（ＭＳ）、移動体装置（ＭＥ）、セルラホン、ユーザ端末、ハンドセット、無線通信装置、あるいは任意の他の術語で呼ばれることもあり得る。
【００１５】
ＧＳＭ、ＵＭＴＳおよびＣＤＭＡに関する放送サービスはＳＭＳで実施される。ＳＭＳはネットワークテクノロジー依存であり、そして２つのＳＭＳ実施形態はＡＮＳＩ−４１およびＧＳＭ−ＭＡＰとして定義された。各ＳＭＳ実施形態は異なる能力を有し、そしてＳＭＳメッセージを送るための異なるメッセージタイプとフォーマットとを使用する。以下の説明では、“パラメータ”、“サブパラメータ”、および“フィールド”がメッセージの属性を表すために使用される。明快なこととして、これら３つの術語は１メッセージの異なる階層化レベルとして使用される。しかしながら、通常、これらの術語は互換的に使用され得る同義の術語と考えられてもよい。
【００１６】
図２ＡはＧＳＭネットワークによるＣＢＳサービスとして使用されたＧＳＭ  ＣＢＳメッセージのフォーマットを示す。ＧＳＭでは、１放送メッセージは１５放送ページまで含むことができ、そして各放送ページは８８オクテットの固定ブロックを含む。セル放送センタ１１２は長いマルチページ放送メッセージのために１５放送ページまで発生できる。各放送ページはＧＳＭ  ＣＢＳメッセージとして無線により（over the air）送信される。
【００１７】
図２Ａに示されるように、ＧＳＭ  ＣＢＳメッセージは５つのパラメータを含む。メッセージ識別子パラメータはＧＳＭ  ＣＢＳメッセージのソース（またはセンダ）およびタイプ（またはサービスカテゴリー）を識別する。メッセージ識別子に関する値はネットワークによって割り当てられ、そして無線装置に対し信号化されることができる。シリアル番号パラメータはソースからの特定のＣＢＳメッセージおよびメッセージ識別子によって示されたタイプを識別する。シリアル番号は（１）ＣＢＳメッセージを同じソースおよびタイプ（即ち、同じメッセージ識別子値を有する）から区別するメッセージ符号フィールド、（２）その全域にわたってメッセージ符号がユニークである地理的エリアとメッセージについての表示モードとを示す地理的範囲（ＧＳ）フィールド、および（３）同じＣＢＳメッセージ（即ち、同じメッセージ識別子、地理的範囲、およびメッセージ符号を有する）の内容における変化を示す更新番号フィールド（Update Number field）を含む。データ符号化スキーム（ＤＣＳ；Data Coding Scheme）パラメータはＣＢＳメッセージについてのいろいろな処理パラメータ（例えば、アルファベットまたは文字セット、符号化、および言語）を示す。ページパラメータは放送メッセージ内の放送ページの数およびその放送メッセージ内の特定の放送ページを示す。メッセージパラメータの内容はＧＳＭ  ＣＢＳメッセージに関する放送データを含む。ＧＳＭ  ＣＢＳメッセージフォーマットは３ＧＰＰ  ＴＳ２３．０４１に記述される。
【００１８】
図２ＢはＵＭＴＳネットワークによってＣＢＳサービスのために使用されたＵＭＴＳ  ＣＢＳメッセージのフォーマットを示す。メッセージタイプパラメータは、いずれのＵＭＴＳ  ＣＢＳメッセージが情報を含んでいるＣＢＳメッセージであるかまたは送出されるべきＣＢＳメッセージのスケジュールを含んでいるスケジューリングメッセージであるかを示す。メッセージ識別子、シリアル番号、およびデータ符号化スキームパラメータはＧＳＭ  ＣＢＳメッセージについて上述されたようなものである。ＣＢデータパラメータは（１）ＵＭＴＳ  ＣＢＳメッセージ内のページ数、（２）このメッセージによって搬送された放送データ、および（３）このメッセージ内の放送データの長さを含む。ＵＭＴＳ  ＣＢＳメッセージフォーマットもまた３ＧＰＰ  ＴＳ２３．０４１内に記述される。
【００１９】
図２Ａおよび２Ｂに示されるように、ＧＳＭ  ＣＢＳメッセージおよびＵＭＴＳ  ＣＢＳメッセージは同じパラメータの多くを含む。簡単のため、それらは集合的にＣＢＳメッセージと呼ばれ、そして以下の説明では１つのメッセージタイプとして取り扱われる。ＣＢＳメッセージはＧＳＭ  ＣＢＳメッセージかＵＭＴＳ  ＣＢＳメッセージであってもよおい。
【００２０】
図３はＣＤＭＡネットワーク１２０における放送サービスをサポートするために使用されたいろいろなメッセージのフォーマットを示す。ＣＤＭＡに関して、メッセージセンタ１２２によって放送されるべきデータはまず、ＣＤＭＡ  ＳＭＳプロトコルスタック内の最上層である、テレサービス層(Teleservice  Layer)でＳＭＳ伝送メッセージ(SMS  Deliver  Message)内にカプセル化（encapsulate）される。ＳＭＳ伝送メッセージはこのメッセージの属性を記述するいろいろなフィールドを含み、そしてＣＤＭＡ内のＳＭＳメッセージのエンドツーエンド伝送を管理する次に低位のＳＭＳ層である、トランスポート層でＳＭＳ放送メッセージ内にカプセル化される。ＳＭＳ放送メッセージはトランスポート関連機能として使用されたいろいろなフィールドを含み、そしてさらにＩＳ−２０００およびＩＳ−９５用のレイヤ３でのメッセージである、データバーストメッセージ内にカプセル化される。データバーストメッセージはさらに処理され、そしてＣＤＭＡネットワーク１２０内の無線装置に伝送される。
【００２１】
ＳＭＳ放送メッセージはいろいろなパラメータを含み、それの２つは図３に示される。サービスカテゴリーパラメータは放送ＳＭＳメッセージ用のサービスカテゴリーを識別する。ベアラーデータ(Bearer  Data)パラメータはＳＭＳ伝送メッセージを搬送する。ＭＳ放送メッセージは簡単のため図３には示されない他のパラメータを含んでもよい。
【００２２】
ＳＭＳ伝送メッセージはいろいろなサブパラメータを含み、それの５つは図３に示される。メッセージ識別子サブパラメータはいろいろなフィールドを含み、その２つは図３に示される。メッセージ ＩＤフィールドは送られていたＳＭＳメッセージを識別するのに使用された値を含む。ヘッダ Ｉｎｄフィールドはユーザデータサブパラメータがユーザデータヘッダフィールドを含むか否かを示す。ユーザデータサブパラメータはいろいろなフィールドを含み、それの５つは図３に示される。Ｍｓｇ 符号化フィールドはそのメッセージ内の放送データとして使用された符号化スキームを示す。メッセージ タイプフィールドはそのメッセージのタイプを示す。Ｎｕｍ Ｆｉｅｌｄｓフィールドは以下のＣＨＡＲｉフィールドの発生数を示す。ＣＨＡＲｉフィールドの各インスタンス（instance）は放送データの１つのキャラクタを搬送する。ユーザデータヘッダフィールドは、もしも存在すれば、ＣＨＡＲｉフィールドによって搬送され、そして長い放送メッセージのために個別のＳＭＳメッセージを連結するのに使用された情報を含む。パッディングフィールドは整数オクテット長のユーザデータサブパラメータを作るために０乃至７ビットを搬送する。放送データはユーザデータサブパラメータのＣＨＡＲｉフィールドで搬送される。プライオリティインジケータサブパラメータはそのメッセージのプライオリティレベルを示す。言語インジケータサブパラメータはそのメッセージの言語を示す。メッセージ表示モードサブパラメータはそのメッセージに関する表示オプションを示し、それは（１）‘即時表示’−できるだけすぐ表示する、（２）‘移動体デフォルト値設定(mobile  default  setting)’−その無線装置についてのデフォルト値設定に基づいて表示する。または（３）‘ユーザ援用(user  invoke)’−ユーザによって援用された時だけ表示する。
【００２３】
データバーストメッセージはさらに、（１）そのメッセージのプライオリティを示すプライオリティフィールド、（２）同じサービスについて異なるメッセージを区別するメッセージ ＩＤフィールド、（３）そのメッセージが送られるべき地理的ゾーンを示すゾーン ＩＤフィールド、（４）そのメッセージと関連したサービスを示すサービスフィールド、および（５）そのメッセージのために使用された言語を示す言語フィールドを含むＢＣ ＡＤＤＲと関連する。ＣＤＭＡ  ＳＭＳメッセージフォーマットはＴＩＡ／ＥＩＡ６３７−Ｂ内に記述される。
【００２４】
図２Ａ、２Ｂおよび３に図示され、そして上述されたように、異なるネットワークのための放送メッセージは異なるフォーマットを有する。結果として、多重モード無線装置１５０によって異なるネットワークから受信された放送メッセージは異なるパラメータと内容符号化とを有することがあり得る。さらに、異なるネットワークについての放送サービスは、下記されるように、異なるフィルタリング構成を有することがあり得る。これのすべては複数ネットワークからの放送サービスの受信を複雑にすることがあり得る。
【００２５】
多重モード無線装置１５０はこの中に記述されている技術を使用している種々の無線ネットワークのためのトランスペアレント放送サービスをサポートするように設計されることができる。トランスペアレント放送サービスは種々のネットワークによる放送サービスに関する実施計画を隠すインターフェイスを有するユーザを提供することによって達成される。このように、ユーザはいずれの特定の放送サービスが受信されているか、および異なるネットワークからの放送サービスがユーザにトランスペアレントに見えることに気づく必要がない。トランスペアレント放送サービスは種々のネットワークからの放送サービスの受信を簡単にし、そしてユーザ経験を増す。
【００２６】
１．パラメータの合成セット
トランスペアレント放送サービスをサポートするために、種々のネットワークによって使用された放送メッセージのための適切なパラメータの合成セット（またはスーパーセット（superset））が定義される。各ネットワークについての放送メッセージのパラメータ／サブパラメータ／フィールドは合成セット内の対応するパラメータにマップされる。パラメータの合成セットは種々の無線ネットワークから受信された放送メッセージを処理して表示するために使用される。表１は（１）ＧＳＭおよびＵＭＴＳネットワーク用のＣＢＳメッセージおよび（２）ＣＤＭＡネットワーク用の放送ＳＭＳメッセージのために使用されることができるパラメータの合成セットを示す。表１の第１列は合成セット内のパラメータを記載する。第２列は合成セット内の対応パラメータにマップされる（ＧＳＭおよびＵＭＴＳ用の）ＣＢＳメッセージのパラメータ／フィールドを記載する。第３列は合成セット内の対応パラメータにマップされる（ＣＤＭＡ用の）放送ＳＭＳメッセージのパラメータ／サブパラメータ／フィールドを記載する。マッピングはさらに詳細に下記される。合成セット内のパラメータは、ＣＢＳメッセージか放送ＳＭＳメッセージのどちらであってもよい、受信された放送メッセージのマップされたパラメータから得られた内容／値と共に取り込まれる。
【表１】
2010022011.tif 000003
【００２７】
メッセージタイプ
メッセージタイプパラメータは放送メッセージタイプを示す。受信された放送メッセージはＣＢＳメッセージ（ＣＢＳ）または放送ＳＭＳメッセージ（ＣＢＳ４１）であってもよい。ＣＢＳはＧＳＭおよびＵＭＴＳによってサポートされる。ＣＢＳ４１はＣＤＭＡによってサポートされ、そしてまたＵＭＴＳによってもサポートされることができる。種々の値がＣＢＳおよびＣＢＳ４１に割り当てられてもよい。メッセージタイプパラメータは受信された放送メッセージのタイプに基づいた固有値（proper value）に設定される。
【００２８】
サービスＩＤ
サービスＩＤパラメータは受信された放送メッセージについての放送サービスを示す。ＧＳＭおよびＵＭＴＳに関して、ＣＢＳメッセージ内のメッセージ識別子パラメータはメッセージのソースおよびタイプの両者についての単一値を含む。メッセージ識別子についての各独特の値は異なる放送サービスと考えられることができる。ＣＤＭＡに関して、サービスカテゴリーと言語との組合わせは独特の放送サービスを識別する。しかしながら、ＣＤＭＡ  ＳＭＳ用のパラメータの他の組合わせもまたサービスＩＤパラメータとして使用されてもよい。
【００２９】
符号化
符号化パラメータは受信された放送メッセージ内の放送データ用に使用されたアルファベット／キャラクタのセットを示す。ＧＳＭおよびＵＭＴＳは３つのキャラクタセット−ＧＳＭ７ビット、８ビットデータ、および１６ビット  ユニコード（ＵＣＳ２）を設定する。この情報は（３ＧＰＰ  ＴＳ２３．０３８内に記述されたように）データ符号化スキーム（ＤＣＳ）パラメータ内にはめ込まれ／符号化（embedded/encoded）され、そして抽出されて符号化パラメータにマップされることができる。ＣＤＭＡは、オクテット、ＩＳ−９１拡張プロトコルメッセージ、７ビットＡＳＣＩＩ、ＩＡ５、ユニコード、シフトＪＩＳ、朝鮮語、ラテン／ヘブライ語、ラテン語、およびＧＳＭ７ビットデフォルト値アルファベットを含む多数のキャラクタセットをサポートする。この情報はユーザデータサブパラメータのＭｓｇ 符号化およびメッセージ タイプフィールド内に含まれ、そして抽出され、および符号化パラメータにマップされることができる。
【００３０】
言語
言語パラメータは受信された放送メッセージ用に使用された言語を示す。ＧＳＭおよびＵＭＴＳは、３ＧＰＰ  ＴＳ２３．０３８およびＩＳＯ６３９内に指定されたように、多数の言語をサポートする。この情報はデータ符号化スキームパラメータ内にはめ込まれ／符号化され、そして抽出されて言語パラメータにマップされることができる。ＣＤＭＡは、不特定、英語、フランス語、スペイン語、日本語、朝鮮語、中国語、およびヘブライ語を含む１セットの言語をサポートする。この情報は言語インジケータサブパラメータ内に含まれ、そして抽出され、および言語パラメータにマップされることができる。
【００３１】
メッセージクラス
メッセージクラスパラメータは受信された放送メッセージの処理およびルーティング（routing）を示す。ＧＳＭおよびＵＭＴＳは、４つのメッセージクラス：一般メッセージ用のクラス０、ＭＥ指定メッセージ用のクラス１、ＳＩＭ／ＵＳＩＭメッセージ用のクラス２、およびＴＥ指定メッセージ用のクラス３をサポートする。移動体装置（ＭＥ）は無線装置である。端末装置（ＴＥ）はコンピュータ、ＰＤＡ、または無線装置に接続できる何か他の装置であってもよい。加入者アイデンティティモジュール（ＳＩＭ）およびユニバーサル加入者アイデンティティモジュール（ＵＳＩＭ）は無線装置用の着脱可能形モジュールである。メッセージクラス情報はデータ符号化スキームパラメータ内にはめ込まれ／符号化され、そして抽出されてメッセージクラスパラメータにマップされることができる。ＣＤＭＡはこのメッセージクラス概念を利用しない。デフォルト値がＣＤＭＡ用のメッセージクラスパラメータのために使用されてもよい。
【００３２】
メッセージ連結
メッセージ連結パラメータは複数の放送ページを１つの長い放送メッセージに連結するのに使用された情報を搬送する。ＧＳＭについては、ページパラメータは放送メッセージ内の放送ページ数および放送メッセージ内の特定の放送ページに関する２つのフィールドを含む。ＵＭＴＳについては、放送ページ数はＣＢＳメッセージのＣＢデータパラメータ内に含まれる。ＧＳＭおよびＵＭＴＳ用のページ情報はメッセージ連結パラメータにマップされてもよい。ＣＤＭＡについては、メッセージ識別子サブパラメータ内のヘッダ Ｉｎｄフィールドはユーザデータサブパラメータが、１つの長い放送メッセージを連結するための情報を順番に含む、ユーザデータヘッダフィールドを含むか否かを示す。これら２つのフィールドからの連結情報はメッセージ連結パラメータにマップされてもよい。
【００３３】
地理的範囲
合成セット内の地理的範囲パラメータは受信された放送メッセージ用の地理的エリアを示す。ＧＳＭおよびＵＭＴＳについては、ＣＢＳメッセージの地理的範囲フィールドはそのメッセージに関する地理的エリアを示す。ＣＢＳメッセージ用の地理的エリアはセル幅、ＰＬＭＮ幅、（ＧＳＭでは）ロケーションエリア幅、あるいは（ＵＭＴＳでは）サービスエリア幅であってもよく、ここでＰＬＭＮは公衆陸上移動体ネットワーク（public land mobile network）を表す。この情報はＣＢＳメッセージの地理的範囲フィールドから抽出され、そして合成セット内の地理的範囲パラメータにマップされてもよい。デフォルト値は地理的範囲パラメータのために使用されてもよいので、ＣＤＭＡはこの地理的範囲概念を利用しない。あるいは、ＢＣ ＡＤＤＲからのゾーン ＩＤ情報は、表１  表示モード内に示されるように、地理的範囲パラメータにマップされてもよい。表示モードパラメータは受信された放送メッセージ用の表示オプションを示す。ＧＳＭおよびＵＭＴＳについては、ＣＢＳメッセージの地理的範囲フィールドもまたそのメッセージのための表示モードを示す。表示モードは（１）常にＣＢＳメッセージを表示するための‘即時（immediate）’または（２）もしもユーザがユーザ相互作用によりそのメッセージを見ることを選ぶだけの場合はＣＢＳメッセージを表示するための‘正常（normal）’であってもよい。受信されたＣＢＳメッセージ用の表示モードは表示モードパラメータにマップされてもよい。ＣＤＭＡについては、メッセージ表示モードサブパラメータは、上述されたように、放送ＳＭＳメッセージ用の表示モードを示し、そして表示モードパラメータにマップされてもよい。
【００３４】
メッセージ置換
メッセージ置換パラメータは旧放送メッセージを、更新された放送データを含む新放送メッセージで置換するのに使用された情報を含む。ＧＳＭおよびＵＭＴＳについては、更新番号は同じＣＢＳメッセージのメッセージ内容内の変化を示す。更新されたＣＢＳメッセージを示している情報は受信されたＣＢＳメッセージから獲得され、そしてメッセージ置換パラメータにマップされることができる。ＣＤＭＡについては、メッセージ識別子サブパラメータ内のメッセージ ＩＤフィールドは送られたＳＭＳメッセージを識別するのに使用された値を含む。この情報は抽出され、そしてメッセージ置換パラメータにマップされることができる。
【００３５】
ユーザデータヘッダ
ユーザデータヘッダパラメータは（１）受信された放送メッセージがヘッダを含むか否かを示し、そして（２）ヘッダ自身を含む。ＧＳＭおよびＵＭＴＳについては、ユーザデータヘッダの存在はＣＢＳメッセージ内のＤＣＳパラメータによって決定され、そしてユーザデータヘッダはＣＢＳメッセージのＣＢデータフィールド内に存する。ＣＤＭＡについては、ユーザデータヘッダの存在はＣＤＭＡ放送メッセージ用のＳＭＳ伝送メッセージ内のメッセージ識別子サブパラメータのヘッダ Ｉｎｄフィールドによって決定され、そしてユーザデータヘッダはＳＭＳ伝送メッセージのユーザデータサブパラメータ内に存する。第１のバイトはユーザデータヘッダの全長を示す。複数のユーザデータヘッダが存在することがあり得るし、それはメッセージ用の付加的な属性と、ビットマップ、アニメーション、メロディ、テキストスタイル、等のような、強化メッセージングサービス（ＥＭＳ）内容とを提供することができる。ＣＤＭＡ用のヘッダ情報はこれらのフィールド／サブパラメータから抽出され、そしてメッセージヘッダパラメータにマップされてもよい。
【００３６】
チャネルガイド
チャネルガイドパラメータは利用できる放送サービスのテーブルを含む。ＧＳＭおよびＵＭＴＳについては、放送サービスはソースとタイプ（source and type）の組合わせによって定義され、そしてネットワークオペレータは放送サービスを定義することができ、これらの放送サービスに値を割り当てる（即ち、メッセージ識別子についての意味と値とを定義する）ことができる。放送サービスおよびそれらの割り当てられた値はインデックス構造(index  structure)内に蓄積される。インデックス構造はインデックスメッセージにより無線装置に放送され、それはメッセージ符号用の‘１０１０１０１０１０ｂ’の値を有するＣＢＳメッセージである。無線装置はインデックス構造を受信して蓄積する。各ＣＢＳメッセージはインデックス構造内に記述された放送サービスの１つのためにある（即ち、ＣＢＳメッセージ用のメッセージ識別子値はインデックス構造内の値の１つとマッチするであろう）。ＧＳＭおよびＵＭＴＳ用のインデックス構造はチャネルガイドパラメータ内に蓄積されることができる。
【００３７】
ＣＤＭＡについては、サービスカテゴリーは公に利用（publicly available）できる文書ＴＳＢ−５８−Ｅ内で定義される。ネットワークオペレータは０ｘ８００１乃至０ｘＦＦＦＦの“所有サービスカテゴリー（Proprietary Service Category）”レンジ（range）を使用しているそれ自身のサービスカテゴリーを定義することができる。各放送ＳＭＳメッセージは定義されたサービスカテゴリーの１つのためのものである（即ち、サービスカテゴリーパラメータは定義されたサービスカテゴリーの１つとマッチしている値を含む）。ＣＤＭＡによって定義されたサービスカテゴリーもチャネルガイドパラメータ内に蓄積されることができる。このように、ＧＳＭ、ＵＭＴＳ、およびＣＤＭＡをサポートするために、チャネルガイドパラメータはこれらのネットワークのすべてによって定義された放送サービス／サービスカテゴリーのすべてのスーパーセットを蓄積することができる。
【００３８】
表１はＧＳＭ、ＵＭＴＳ、およびＣＤＭＡネットワーク内の放送メッセージ用に使用され得るパラメータの合成セットを示す。表１はまた合成セット内のパラメータへのこれらのネットワーク用の放送メッセージのパラメータ／サブパラメータ／フィールドのマッピングも示す。一般に、合成セットは、表１に記録されたそれらよりもより多く、異なる、および／または少ないパラメータを含んでもよく、そしてこれはこの発明の範囲内である。さらに、マッピングは表１に示されたものより異なってもよい。
【００３９】
一般に、合成セットは適切であると思われる各放送メッセージパラメータ／サブパラメータ／フィールドのためのパラメータを含む。もしも合成セット内に与えられたパラメータが１つのネットワーク用だけに適用可能であれば、その時このパラメータはこのパラメータ用の１つのネットワークによって定義された値を取ることができ、そしてデフォルト値がこのパラメータを使用しない他のネットワークのために使用されてもよい。１例として、メッセージクラスパラメータはＧＳＭについては‘０’、‘１’、‘２’、‘３’に、そしてＣＤＭＡについてはデフォルト値に設定されてもよい。もしも合成セット内に与えられたパラメータが複数のネットワーク用に適用可能であれば、その時このパラメータは複数のネットワークによって定義された値を取ることができる。例えば、表示モードパラメータは（１）ＧＳＭおよびＵＭＴＳについては‘即時’または‘正常’を、そして（２）ＣＤＭＡについては‘即時表示（immediate display）’、‘移動体デフォルト値設定（mobile default setting）’、または‘ユーザ援用（user invoke）’を取ってもよい。このように、合成セット内の各パラメータは１つまたは複数のネットワークに適用されることができる。
【００４０】
もしも２つのネットワーク用の２つのパラメータが異なる範囲を有するほかに関係があるならば、マッピングは明確でなくてもよい。例えば、ＣＤＭＡ用のサービスカテゴリーパラメータが放送ＳＭＳメッセージ用のサービスカテゴリーのみを示すのに反して、ＧＳＭおよびＵＭＴＳ用のメッセージ識別子パラメータはＣＢＳメッセージのソースおよびタイプの両者を示す。この場合に、マッピングはいろいろな手法で実行されてもよい。例えば、メッセージ識別子パラメータはソースとタイプとに分解されてもよく、それはその後合成セット内の２つのパラメータにマップされてもよい。あるいは、ソースとタイプとは合成セット内の単一パラメータ（サービスＩＤ）にマップされてもよく、そして、表１に示されるように、サービスカテゴリーと言語との組合わせがＣＤＭＡ用に使用されてもよい。マッピングは設計選択(design  preference)、ユーザ選択、および／または他の配慮に依存してもよい。
【００４１】
トランスペアレント放送サービス用の放送メッセージを処理して表示するためのパラメータの合成セットの使用が下に記述される。
【００４２】
２．フィルタリング構成（Filtering Configurations）
放送メッセージはいろいろな言語での、いろいろなタイプ／サービスカテゴリー用、等のネットワークによって送られてもよい。無線装置は（例えば、無線装置のためのサービス申込みに基づいて）これらの放送メッセージのすべての、いくつかの受信を認められるか、または何も認められないかもしれない。さらに、ユーザは受信されることを認められる放送メッセージのすべてに、いくつかに興味を示すか、または何にも興味を示さなくてもよい。フィルタリング機構（filtering mechanism）は適用可能なネットワークおよびユーザ要求条件のすべてに基づいた無線装置での放送メッセージをフィルタするために使用される。
【００４３】
図４は放送メッセージをフィルタリングするための無線装置によって維持され得るサービス表４００を示す。図４に示された実施形態については、サービス表はサービスカテゴリー、言語、ラベル、プライオリティ、セレクテッド、アラートオプション、およびＭａｘメッセージとしての７列を含む。サービスカテゴリー列はサービス表内にプログラムされていたサービスカテゴリーを識別する。言語列は各プログラムされたサービスカテゴリーと関連する言語を示す。サービス表は各放送サービス用の１つのエントリー（または行）を含み、それは（１）ＣＤＭＡ用のサービスカテゴリーおよび言語の独特な組合わせかまたは（２）ＧＳＭおよびＵＭＴＳ用の独特なメッセージ識別子値であってもよい。
【００４４】
ラベル列はサービスカテゴリーについてユーザ承認可能なラベル（例えば、“ローカルニュース”）を蓄積し、それは非承認可能値（non-recognizable values）（例えば、０ｘ０００４）を割り当てられる。プライオリティ列はサービス表内の各プログラムされたエントリについてユーザによって選択されたプライオリティを示す。選択された列はサービス表内の各プログラムされたエントリがユーザによる受信のために選択されていたか否かを示す。（もしあるなら、他の基準も満足されると想定して）選択されたプログラムされたエントリについての放送メッセージのみが無線装置によって処理される。アラートオプション列（Alert Option column ）は各プログラムされたエントリについての新放送メッセージのユーザに警報を出すために特定のオプション（例えば、バイブレート（vibrate）、リング（rinｇ）、等を示す。Ｍａｘメッセージ列は各プログラムされたエントリについて蓄積されるべき放送メッセージの最大数を示す。サービス表は放送メッセージのために有用な他のメッセージについての他の列を含んでもよい。一般に、サービス表内の列の任意の番号および任意の組合わせは放送メッセージをフィルタリングするために使用されてもよい。
【００４５】
無線装置での放送メッセージのフィルタリングはいろいろな基準に基づいて実行されてもよい。例えば、放送メッセージフィルタリング基準（broadcast message filtering criteria）は３つのカテゴリー：ネットワーク構成、ユーザ構成、およびユーザ選択に分類されてもよい。
【００４６】
ネットワーク構成はネットワークオペレータ／サービスプロバイダによって負わされたフィルタリング基準を含み、そして典型的に無線装置の活性化より前にかまたはその間中に無線装置内にプログラムされる。表２はＣＤＭＡについてのネットワーク構成のために実施できるセッティングを記載する。到来する放送メッセージはプログラムされたネットワーク構成セッティングに基づいた無線装置によってフィルタされる。
【表２】
2010022011.tif 000004
【００４７】
ユーザ構成はユーザによって決定されたフィルタリング基準を含む。表３はＣＤＭＡについてのユーザ構成のために実施できるセッティングを記載する。到来する放送メッセージは選択されたユーザ構成セッティング（user configuration setting）に基づいた無線装置によってさらにフィルタされる。
【表３】
2010022011.tif 000005
【００４８】
ユーザ構成はネットワーク構成によって限定され／制約される。ユーザはネットワーク構成セッティングより広いユーザ構成を選ぶことはできない。
【００４９】
ユーザ選択はユーザによって選択されたフィルタリング基準を含み、そしてサービス表内のプログラムされたエントリに適用される。ユーザはサービス表内の各プログラムされたエントリを個別にイネーブル／ディスエーブルにすることを認められてもよい。ユーザはまた各プログラムされたエントリのためのプライオリティレベルをも指定できる。この場合に、サービス表内の指定されたプライオリティと等しいかまたはそれより大きいプライオリティを有している選択された／イネーブルにされたプログラムされたエントリのための到来放送メッセージだけは無線装置によって処理される。
【００５０】
フィルタリング構成は複数のネットワーク用の放送サービスのために定義されることができる。これらのネットワーク用の放送メッセージはその後これらのネットワークについて適用可能なフィルタリング構成に基づいてフィルタされる。
【００５１】
表４はＧＳＭ、ＵＭＴＳおよびＣＤＭＡによってサポートされたフィルタリング構成を示す。ネットワーク構成については、サービス表でのフィルタリングはＣＤＭＡによってはサポートされるが、ＧＳＭおよびＵＭＴＳによってはサポートされない。ユーザ構成については、放送メッセージはＣＤＭＡ用のサービス表でそしてＧＳＭおよびＵＭＴＳ用の言語選択でフィルタされることができる。これはＧＳＭおよび３ＧＰＰ標準には記述されないが、サービス表でのフィルタリングはまたＧＳＭまたはＵＭＴＳについても実施されることができる。ユーザ選択については、放送メッセージは（１）ＣＤＭＡ用のサービスＩＤ、セレクテッド、プライオリティ、ラベル、アラート、およびＭａｘメッセージおよび（２）ＧＳＭおよびＵＭＴＳ用のサービスＩＤ、セレクテッド、およびラベルのようないろいろなフィールドに基づいてフィルタされてもよい。３つのフィルタリング構成（ネットワーク構成、ユーザ構成、およびユーザ選択）の各々はこの構成のためのすべての可能値のスーパーセットをカバーするように定義されることができる。例えば、ユーザ構成は‘すべてを活性化する’、‘表だけを活性化する’、‘言語選択無しに活性化する’、および‘活性化しない’の値を取ってもよい。
【表４】
2010022011.tif 000006
【００５２】
フィルタリング構成は無線装置内にあるかまたは無線装置にアクセス可能な不揮発性メモリ内に蓄積されてもよい。不揮発性メモリはフラッシュ、電気的消去可能プログラマブル読取専用メモリ（ＥＥＰＲＯＭ）、マルチメディアカード（ＭＭＣ）、または何か他の不揮発性メモリタイプであってもよい。フィルタリング構成はまた着脱可能形モジュール内の初等(elementary)ファイル（ＥＦ）として蓄積されてもよく、それはＧＳＭおよびＵＭＴＳについてはＳＩＭ／ＵＳＩＭと呼ばれ、そしてＣＤＭＡについては着脱可能形ユーザアイデンティティモジュール（Ｒ−ＵＩＭ）と呼ばれる。ＧＳＭおよびＵＭＴＳについては、ＥＦCBMIファイルはユーザが受信することを選択する放送サービスのリストを蓄積し、そしてＥＦCBMIRファイルはユーザが受信しなければならない放送サービスのリストを蓄積する。ＣＤＭＡについては、ＥＦBCSMSprefファイルはユーザ構成セッティングを蓄積し、そしてＥＦBCSMStableファイルはサービス表用の情報およびユーザ選択に関するフィルタリング基準を蓄積する。
【００５３】
フィルタリング構成を有する放送メッセージのフィルタリングが下に記述される。
【００５４】
３．システム
図５は無線装置１５０のブロック図を示す。ＧＳＭまたはＵＭＴＳ１１０については、セル放送センタ１１２は放送データを処理し、そしてＣＢＳメッセージをネットワークコントローラ１１４に供給し、それはこれらのメッセージを固有の基地局１１６に順方向転送する。各基地局１１６はＣＢＳメッセージを処理して、そのカバレッジエリア内の無線装置に送信する。ＣＤＭＡネットワーク１２０内のネットワークエンティティは同様に処理して、放送ＳＭＳメッセージをネットワーク１２０のカバレッジエリア内の無線装置に送信する。
【００５５】
無線装置１５０で、受信パス上では、ネットワーク１１０および１２０内の基地局によって送信された信号はアンテナ５１２によって受信され、デュプレクサ（Ｄ）５１４により送られ、そして受信器ユニット（ＲＣＶＲ）５１６に供給される。受信器ユニット５１６は受信された信号を調節（例えば、フィルタ、増幅、および周波数ダウンコンバート）し、そしてさらにサンプルを得るためにこの調節された信号をディジタル化する。復調器（demodulator；Ｄｅｍｏｄ）／復号器（decoder）５１８はその後（例えば、受信されているネットワークによって定義された物理層処理に基づいて）このサンプルを復調および復号し、そして放送メッセージ用の復号されたデータと基地局によって送られた他のメッセージとを供給する。受信された放送メッセージはさらなる処理のためのコントローラ５２０に供給される。コントローラ５２０は放送メッセージをメモリユニット５２２内に蓄積することができ、および／または放送メッセージをユーザへの表示用の表示ユニット５２６に供給する。送信パス上では、無線装置１５０によって送られるべきデータおよびメッセージは符号器（encoder）／変調器（modulator；Ｍｏｄ）５３２によって符号化および変調され、送信器ユニット（ＴＭＴＲ）５３４によって調節され、デュプレクサ５１４により送られ、そしてアンテナ５１２を介して基地局に送信される。
【００５６】
コントローラ５２０は無線装置１５０内の処理ユニットの動作を指示する。例えば、コントローラ５２０は複数のネットワークのための放送サービスの受信、放送メッセージのフィルタリング、等を制御できる。メモリユニット５２２はプログラム符号とコントローラ５２０および他のユニットによって使用されたデータとを蓄積する。タイマ５２４は、下記される、時間ベースの(time-based)放送受信を実施するのに使用され得るタイミング情報を供給する。入力装置５２８はユーザからの入力を受信し、そしてこのユーザ入力をコントローラ５２０に供給する。着脱可能形モジュール５３０（例えば、ＳＩＭ／ＵＳＩＭまたはＲ−ＵＩＭ）はパラメータの合成セット、フィルタリング構成、時間ベースの放送受信情報等のような適切な情報を蓄積するのに使用され得る。
【００５７】
図６は無線装置１５０のためにトランスペアレント放送サービスを供給することが可能なコントローラ５２０の構成を示す。メモリユニット５２２は放送サービス用のパラメータ６２２の合成セットおよびすべてのサポートされたネットワーク用のフィルタリング構成６２４を蓄積する。復調器／復号器５１８は受信された放送メッセージをネットワーク１１０および１２０からコントローラ５２０に供給する。
【００５８】
コントローラ５２０内で、ＧＳＭ  ＣＢＳモジュール６１６はＧＳＭまたはＵＭＴＳネットワーク１１０から受信されたＣＢＳメッセージのための処理を実行する。ＣＤＭＡ放送モジュール６１８はＣＤＭＡネットワーク１２０から受信された放送ＳＭＳメッセージのための処理を実行する。モジュール６１６および６１８は放送メッセージのパラメータに基づいて従前の手法でそれらの放送メッセージを処理する。モジュール６１６および６１８は典型的に二重の放送メッセージを検出して、二重のメッセージを捨てる。モジュール６１６および６１８はまた、それぞれ、ネットワーク１１０および１２０用のフィルタリング構成に基づいて放送メッセージをフィルタする。
【００５９】
メッセージングサービスモジュール６１４は放送サービス用のパラメータの合成セットとネットワーク１１０および１２０用のフィルタリング構成とを保持する。モジュール６１４はそれぞれ、ネットワーク１１０および１２０からのフィルタリング放送メッセージ用のモジュール６１６および６１８にフィルタリング構成を供給する。
【００６０】
メッセージングサービスモジュール６１４はまたモジュール６１６によって処理されたＣＢＳメッセージおよびモジュール６１８によって処理された放送ＳＭＳメッセージをも受信する。モジュール６１４はＣＢＳメッセージおよび放送ＳＭＳメッセージ内のパラメータの内容を合成セット内の対応するパラメータにマップする。モジュール６１４は合成セット内のパラメータの内容をアプリケーションモジュール６１２に供給する。モジュール６１４はまたＧＳＭ  ＣＢＳモジュール６１６およびＣＤＭＡ放送モジュール６１８によって供給されたサービスをアクセスするようにアプリケーションモジュール６１２によって使用されるアプリケーションプログラミングインターフェイス（ＡＰＩ）を供給する。アプリケーションモジュール６１２はユーザのためのインターフェイスを供給し、そしてネットワーク１１０および１２０用の放送サービスを供給するようにメッセージングサービスモジュール６１４と通信する。
【００６１】
アプリケーションモジュール６１２およびメッセージングサービスモジュール６１４は集合的にトランスペアレント放送サービスを提供する。メッセージングサービスモジュール６１４は、できるだけ多く、アプリケーションモジュール６１２から隠されたネットワークについての実施詳細を隠そうと試みる。アプリケーションモジュール６１２は、できるだけ多く、ユーザからの残りの実施詳細（remaining implementation detail）を隠そうと試みる。
【００６２】
アプリケーションモジュール６１２は合成セット内の適用可能なパラメータをレビュー、選択、および／または他の目的のためにユーザに示す。ユーザ選択可能または変更可能である各パラメータについて、ユーザはすべてのサポートされたネットワークのためのパラメータ用の利用できるオプション／値の包括的なリストと共に示されることができる。例えば、すべてのサポートされたネットワークのためのタイプ／サービスカテゴリー（types/service categories）のスーパーセットはユーザによる選択用に表示されることができる。ユーザは特定のタイプ／サービスカテゴリーがどのネットワークによってサポートされるかに気づいていた必要はない。もう１つの例として、すべての言語のスーパーセットはユーザに渡されてもよい。望ましい実施形態によって、サービスカテゴリーおよび言語はユーザによる別々の選択のために別々に示されるかまたは結合内の選択のために一緒に示されてもよい。ユーザがブラウズスルーして(browse  through)望ましいサービスを選択できるように、チャネルガイドは（例えば、要求された時には）表示されてもよい。ネットワーク関連情報はユーザから隠されてもよく、そしてユーザにより要求されるならば示されてもよい。
【００６３】
アプリケーションモジュール６１２はまた、（１）ＣＤＭＡネットワークが無線装置のメモリまたはＲＵＩＭ内のサービス表エントリを追加または削除するためにサービスカテゴリープログラミングテレサービス（ＳＣＰＴ）情報を有するＣＤＭＡポイントツーポイント（Point-to- Point）ＳＭＳメッセージを送るか、あるいは（２）ＧＳＭ／ＵＭＴＳネットワークがＳＩＭ／ＵＳＩＭのＥＦCBMI、ＥＦCBMIR、ＥＦCBMIDおよびＣＢフィルタリングに影響を及ぼす他の初等ファイル上に蓄積されたサービス表を更新するための無線装置のＳＩＭ／ＵＳＩＭにポイントツーポイントまたはＣＢダウンロードメッセージを送る時にもその相違点を隠すこともできる。
【００６４】
合成セット内のパラメータのいくつかはネットワークから受信された放送メッセージを処理するために使用され、そしてユーザにはトランスペアレントである。ＧＳＭ  ＣＢＳモジュール６１６は従前の手法でＣＢＳメッセージを処理することができ、そしてＣＤＭＡ放送モジュール６１８に気づく必要はなく、その逆も同様である。メッセージイングサービスモジュール６１４は受信された放送メッセージのパラメータを合成セット内の対応するパラメータにマップする。例えば、モジュール６１４は、もしもそれがＣＢＳメッセージであるならば、受信された放送メッセージから得られたメッセージクラスにメッセージクラスパラメータをセットするか、あるいは、もしもそれが放送ＳＭＳメッセージであるならば、デフォルト値をセットできる。アプリケーションモジュール６１２はその後、メッセージクラスパラメータに基づいた固有の手法で放送メッセージを送って蓄積することができる。もう１つの例として、メッセージングサービスモジュール６１４は受信されたＣＢＳメッセージのページパラメータまたは受信された放送ＳＭＳメッセージのヘッダ Ｉｎｄおよびユーザデータヘッダパラメータからの値にメッセージ連結パラメータをセットできる。アプリケーションモジュール６１２はその後、メッセージ連結パラメータに基づいて連結を実行することができる。さらにもう１つの例として、メッセージングサービスモジュール６１４は符号化パラメータを受信されたＣＢＳメッセージのデータ符号化スキームパラメータまたは受信された放送ＳＭＳメッセージのＭｓｇ 符号化およびメッセージ タイプフィールドからの値に設定できる。アプリケーションモジュール６１２はその後、符号化パラメータによって示されたように、放送メッセージを表示するために、放送メッセージのために使用された符号化スキーム用の固有のビットマップを使用することができる。一般に、もしも合成セット内に与えられたパラメータが特定のネットワークに適用可能であれば、その時このパラメータはこのネットワーク用の放送メッセージの関連する／マップされたパラメータの内容で構成される。もしも合成セット内のパラメータがネットワークに適用可能でなければ、その時パラメータはデフォルト値で構成されてもよい。
【００６５】
図６はトランスペアレント放送サービスをサポートするための特定の構成を示す。いろいろな他の構成もまた可能であり、そしてこれはこの発明の範囲内にある。例として、１つのモジュールはモジュール６１６および６１８の両者の機能を実行することができ、１つのモジュールはモジュール６１２および６１４の両者の機能を実行することができる等である。モジュール６１２乃至６１８はハードウェアまたはソフトウェアで実施されてもよい。
【００６６】
図７は無線装置１５０用のトランスペアレント放送サービスを提供するための手順７００を示す。初めに、サポートされているすべてのネットワークについてのフィルタリング構成がネットワークオペレータおよび／またはユーザによってセットされる（ブロック７１２）。第１のネットワーク（例えば、ＧＳＭまたはＵＭＴＳネットワーク）のための放送受信については、第１のネットワークのための第１の放送メッセージ（例えば、ＣＢＳメッセージ）が受信され、そしてこのメッセージのパラメータおよび第１のネットワーク用のフィルタリング構成に従って（例えば、ＧＳＭ  ＣＢＳモジュール６１６によって）処理される（ブロック７２２）。第１の放送メッセージのパラメータは（例えば、メッセージングサービスモジュール６１４によって）合成セット内の対応するパラメータにマップされる（ブロック７２４）。第１の放送メッセージはさらに処理され、そして合成セット内のパラメータに基づいて（例えば、アプリケーションモジュール６１２によって）表示される（ブロック７２６）。
【００６７】
第２のネットワーク（例えば、ＣＤＭＡネットワーク）用の放送受信については、第２のネットワーク用の第２の放送メッセージ（例えば、放送ＳＭＳメッセージ）が受信され、そしてこのメッセージのパラメータおよび第２のネットワーク用のフィルタリング構成に従って（例えば、ＣＤＭＡ放送モジュール６１８によって）処理される（ブロック７３２）。第２の放送メッセージのパラメータは合成セット内の対応するパラメータにマップされる（ブロック７３４）。第２の放送メッセージはさらに処理され、そして合成セット内のパラメータに基づいて表示される（ブロック７３６）。
【００６８】
一般に、無線装置は一度に１つのネットワークだけか同時に両方のネットワークについての放送メッセージを受信して処理することができるかもしれない。放送受信能力は無線装置の設計および／または構成、無線装置によって受信されたカバレッジ、等のような、いろいろなファクタに依存するかもしれない。
【００６９】
４．時間ベースの放送受信
放送サービスはまた時間に基礎を置く無線装置によっても受信され得る。１つまたはそれ以上のセットの放送サービスが定義され、ここで各セットは任意の数および組合わせの放送サービスを含むことができる。各サービスセットはまた、その間セットが活性化される時間および／またはその間セットが非活性化される時間とも関連する。与えられたサービスセットについて、活性化のための時間が始まると、そのセット内の放送サービスが活性化され、そして無線装置はこれらのサービス用の放送メッセージを受信して処理する。活性化のための時間が終わると、セット内の放送サービスは非活性化され、そして無線装置はこれらのサービスのための放送メッセージを処理しない。タイマまたは目覚し時計（例えば、図５内のタイマ５２４）は各サービスセットを自動的に活性化または非活性化するのに使用されたタイミング情報を供給することができる。
【００７０】
ユーザは適切な放送情報が得られるようなサービスセットを定義することができる。例えば、ユーザは午前７時から午前１０時までの朝の切り替え時間中(during  morning  commuting  hours)活性化されるべき交通レポート、株式市況および地方／全国ニュースを有する第１のサービスセット、午後４時から午後７時までの夕方の切り替え時間中活性化されるべき交通レポートおよび地方ニュースを有する第２のセット、週末に活性化されるべき天気とニュースとを有する第３のセット、等を定義することができる。
【００７１】
時間ベースの放送受信機能はネットワーク構成、ユーザ構成、および上述されたユーザ選択に加えて追加のフィルタリング基準と見られてもよい。無線装置はサービスセットについて定義された時間制約と同様に構成セッティングを満たす放送メッセージを受信して処理する。
【００７２】
時間ベースの放送受信機能はまた、時間に基づいた（例えば、図４に記録されたそれらのもののような）ユーザ選択セッティングを変更するために使用されてもよい。この機能はＣＤＭＡ内の放送サービスのプライオリティを変更するために使用されてもよい。例えば、ユーザは日中はすべての天気予報メッセージを、夕方は緊急天気予報メッセージだけを受信したいかもしれない。この機能はまたＧＳＭおよびＣＤＭＡにおける放送サービスの言語選択を変更するために使用されてもよい。例えば、ユーザは日中はニュースを英語で、夕方はニュースをスペイン語で受信したいかもしれない。この機能はまた放送アラートセッティングを時間によって自動的に変更するために使用されてもよい。例えば、ユーザは日中は振動（vibration）で、そして夕方は可聴ビープ（audible beep）で受信された放送メッセージの警報を出されたいかもしれない。
【００７３】
図８は時間ベースの放送受信を実行するための手順８００を示す。手順８００は１つまたは複数の無線ネットワークからの放送サービスを受けるために使用されてもよい。初めに、少なくとも１セットの放送サービスが定義される（ブロック８１２）。各サービスセットは１無線ネットワークによって供給された少なくとも１つの放送サービスを含む。現に活動中の時間帯（active time period）は各サービスセットと関連する（ブロック８１４）。各サービスセットについての現に活動中の時間帯は、その間セット内の放送サービスのための放送メッセージは無線装置によって受信されるべきである時間帯を示す。その後は、各セット内の放送サービス用の放送メッセージはそのセットについての現に活動中の時間帯の間中受信される（ブロック８１６）。
【００７４】
明快なこととして、トランスペアレントなおよび時間ベースの放送受信技術はＧＳＭまたはＵＭＴＳネットワークおよびＣＤＭＡネットワークについて明確に記述された。一般に、これらの技術は任意の無線技術のものである任意数のネットワークのために使用され得る。例えば、これらの技術は３つまたはそれ以上の無線ネットワークから放送サービスを受信するように使用されてもよい。種々の放送メッセージ処理モジュール（モジュール６１６および６１８に類似）は各々異なる無線ネットワーク用に使用されてもよい。いろいろな放送メッセージ処理モジュールはトランスペアレント放送受信を提供するためにメッセージングサービスモジュール６１４と通信できる。
【００７５】
ここに記述されたトランスペアレントなおよび時間ベースの放送受信技術はいろいろな恩恵を提供する。これらの技術は放送サービス用のユーザインタフェイスと別々の技術を提供することができ、そして放送サービスについてのユーザ経験を改善することができる。結果として、ユーザは改善された使用の容易さにより放送サービスをより多く使用できる、放送サービスにより多く加入できる、受信された放送メッセージに応じてより多く音声および／またはデータ呼をする、等によって放送サービスをより多く使用できる。これはその後システム利用を増加させ、そしてユーザと同様にネットワークオペレータに恩恵を与える。
【００７６】
ここに記述されたトランスペアレントなおよび時間ベースの放送受信技術はいろいろな手段によって実施され得る。例えば、これらの技術はハードウェア、ソフトウェア、またはそれの組合わせで実施され得る。ハードウェア実施の形態については、放送受信を容易にするおおよび／または実行するために使用された処理ユニット（例えば、図６内のモジュール６１２、６１４、６１６および６１８）は１つまたはそれ以上の特定用途向け集積回路（ＡＳＩＣ）、ディジタル信号プロセッサ（ＤＳＰ）、ディジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、ここに記述された機能を実行するように設計された他の電子ユニット、あるいはそれの組合わせで実施されてもよい。
【００７７】
ソフトウェア実施の形態については、ここに記述された放送受信技術は、ここに記述された機能を実行する、図６内の６１２、６１４、６１６および６１８のような、モジュール（例えば、手順、機能等）で実施され得る。ソフトウェア符号はメモリユニット（例えば、図５内のメモリユニット５２２）内に蓄積されてもよく、そしてプロセッサ（例えば、コントローラ５２０）によって実行される。メモリユニットはプロセッサ内またはプロセッサ外で実施されてもよく、この場合にそれはこの分野において既知であるようないろいろな手段によりプロセッサに通信的に連結されることができる。
【００７８】
ヘッディング（heading）は参考のためにそしてあるセクションの位置を示すのを助けるためにこの中に含まれる。これらのヘッディングはこれの下に記述された概念の範囲を制限するつもりはなく、そしてこれらの概念は全体の使用を通して他のセクション内に適応性を有することができる。
【００７９】
開示された実施形態の前の説明はこの分野の任意の技術者が本発明を製作または使用できるように提供される。これらの実施形態へのいろいろな変更はこの分野の技術者にはたやすく明白であるだろうし、そしてこの中に定義された包括的な原理はこの発明の精神または範囲から逸脱すること無しに他の実施形態に適用されてもよい。このように、本発明はこの中に示された実施形態に限定されるつもりはないが、しかしこの中に開示された原理および新規な特徴と矛盾がない最も広い範囲が許容されるべきである。
【図１】
2010022011.tif 000007
【図２Ａ】
2010022011.tif 000008
【図２Ｂ】
2010022011.tif 000009
【図３】
2010022011.tif 000010
【図４】
2010022011.tif 000011
【図５】
2010022011.tif 000012
【図６】
2010022011.tif 000013
【図７】
2010022011.tif 000014
【図８】
2010022011.tif 000015
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
無線通信システムにおいて放送サービスを受信する方法であって、
該システムによってサポートされた少なくとも１つの放送サービスの第１のセットを定義し、
該第１のセットを該第１のセット内の該少なくとも１つの放送サービスに関する放送メッセージが何時受信されるべきかを表示する第１の活動中の時間帯に結びつけ、そして
該第１の活動中の時間帯の間に該第１のセット内の該少なくとも１つの放送サービスに関する放送メッセージを受信する
ことを含む方法。
【請求項２】
該第１のセット内の該少なくとも１つの放送サービスの各々は該システム内の放送メッセージに関する種々のサービスカテゴリーに対応する請求項１記載の方法。
【請求項３】
該第１のセット内の該少なくとも１つの放送サービスの各々は該システム内の放送メッセージに関するサービスカテゴリーおよび言語の種々の組合わせに対応する請求項１記載の方法。
【請求項４】
さらに、該システムによってサポートされた少なくとも１つの放送サービスの第２のセットを定義し、
該第２のセットを該第２のセット内の該少なくとも１つの放送サービスに関する放送メッセージが何時受信されるべきかを表示する第２の活動中の時間帯に結びつけ、そして
該第２の活動中の時間帯の間に該第２のセット内の該少なくとも１つの放送サービスに関する放送メッセージを受信する
ことを含む請求項１記載の方法。
【請求項５】
無線通信システム内の無線装置であって、
該システムによってサポートされた少なくとも１つの放送サービスのセットおよび該セット内の該少なくとも１つの放送サービスに関する放送メッセージが何時受信されるべきかを表示する活動中の時間帯を蓄積するように動作するコントローラと、そして
該活動中の時間帯の間に該セット内の該少なくとも１つの放送サービスに関する放送メッセージを処理するように動作する処理ユニットと
を含む無線装置。
【請求項６】
さらに、該活動中の時間帯の開始および終了の表示を提供するように動作するタイマを含む請求項５記載の無線装置。
【外国語明細書】
2010022011000001.pdf